(57)【要約】      （修正有）【課題】所望の配光特性を得ることができ、しかも、汎用性及びリサイクル性の高いランプ等を提供する。【解決手段】ＬＥＤ電球１は、ＬＥＤを光源として備えるドーム状の発光部３と、発光部３が装着されたベース部材５と、ドーム状の発光部３の内側に配され且つベース部材５に固定された筒部材７と、筒部材７内に収納され且つ発光部３を発光させるための回路と、ベース部材５を一端に装着する筒状のケース９と、ケース９他端に装着された口金１１と、発光部３を覆い且つケース９の一端に装着されたグローブ１３とを備え、発光部３は、複数のＬＥＤブロック２７を屈曲・着脱自在に連結して全体として所望の形状、例えば、ドーム状にしている。【選択図】図１
2011249235.tif 000002
【特許請求の範囲】
【請求項１】
発光素子を有する複数の発光ブロックが連結部により屈曲且つ脱着自在に連結されてなる発光部を有し、前記連結する発光ブロック間の屈曲角度が調整されている
ことを特徴とするランプ。
【請求項２】
前記発光部は、ベース部材に装着されていると共にグローブにより覆われている
ことを特徴とする請求項１に記載のランプ。
【請求項３】
前記発光部は、配光特性が白熱電球の配光特性に合致するように各発光ブロック間の屈曲角度が設定されている
ことを特徴とする請求項１又は２に記載のランプ。
【請求項４】
前記複数の発光ブロックの連結形状が、アーチ状をしており、
前記発光素子を点灯させる回路が、前記アーチ状の発光ブロックで囲まれた内部に配されている
ことを特徴とする請求項３の何れか１項に記載のランプ。
【請求項５】
前記発光ブロックは、一次元方向にのみ連結可能な第１ブロックと、二次元方向に連結可能な第２ブロックとからなり、
前記第２ブロックが中心部位に配され、
前記第２ブロックにおける第１の方向の両端から前記第１ブロック複数個が直列に連結され、前記第１の方向と異なる第２の方向の両端から残りの前記第１ブロック複数緒が直列に連結されている
ことを特徴とする請求項３に記載のランプ。
【請求項６】
少なくとも第１連結部又は第２の連結部を有する１種以上の他のブロックに対して連結されて使用され且つ発光素子を有する発光ブロックであって、
前記他のブロックの第１連結部に屈曲且つ脱着自在に連結する第２連結部と、前記他のブロックの第２連結部に屈曲且つ脱着自在に連結する第２連結部と、連結により前記他のブロックと電気的に接続される導電路とを有し、
前記発光素子が前記導電路に接続されている
ことを特徴とする発光ブロック。
【請求項７】
ランプと、当該ランプを着脱自在に装着する照明器具とを備える照明装置において、
前記ランプが請求項１から５のいずれか１項に記載のランプである
ことを特徴とする照明装置。
【発明の詳細な説明】
【技術分野】
【０００１】
本発明は、半導体発光素子を用いたランプ、発光ブロック及び照明装置に関する。
【背景技術】
【０００２】
近年、省エネルギ化を図り地球温暖化を防止すべく、照明分野においても従来の白熱電球などに比べて高いエネルギ効率を実現できるＬＥＤ（Ｌｉｇｈｔ  Ｅｍｉｔｔｉｎｇ  Ｄｉｏｄｅ）を用いたランプが研究開発されている。
【０００３】
例えば、既存の白熱電球では、数十［ｌｍ／Ｗ］であったエネルギ効率が、ＬＥＤを光源として用いると（ＬＥＤを用いて、白熱電球や電球形蛍光ランプ等の代替を目的としたランプを、以下、「ＬＥＤ電球」とする。）、１００［ｌｍ／Ｗ］以上の高効率を実現できる可能性がある。
【０００４】
特許文献１などにおいて、従来の白熱電球に置き換わるＬＥＤ電球が提案されている。この特許文献１に記載されているＬＥＤ電球は、複数のＬＥＤが実装された基板を、ＬＥＤを点灯（発光）させるための点灯回路を内部に備える外郭部材の端面（表面）に載置固定し、当該ＬＥＤをドーム状のグローブで覆う構成を有している。なお、ＬＥＤが前記点灯回路により発光すると、ＬＥＤ電球が点灯することとなる。
【０００５】
しかしながら、上記ＬＥＤ電球の光源であるＬＥＤは、指向性が強いため、ＬＥＤが実装されている基板の主面と直交する方向を明るく照らすことができるものの、ＬＥＤ電球（ＬＥＤ）の側方を十分に照らすことができず、従来の白熱電球と異なる配光特性となっている。
【０００６】
そこで、対象とするランプの配光特性に合わせて、例えば、ＬＥＤをランプ軸と直交する方向に向けて実装するようにしたランプ等が提案されている他、特許文献２及び３では、フレキシブル基板（５）を湾曲させて全体形状をかご形状にしたり（特許文献２）、複数の基板（１２）をフレキシブル部材（１２ｂ）によって連結させて全体形状を、その横断面が四角形の筒状にしたり（特許文献３）して、ＬＥＤをランプ軸と直交する方向に向けている。
【先行技術文献】
【特許文献】
【０００７】
【特許文献１】特開２００６−３１３７１８号公報
【特許文献２】特開２００３−５９３０５号公報
【特許文献３】特開２０１０−５５９９３号公報
【発明の概要】
【発明が解決しようとする課題】
【０００８】
しかしながら、所望の配光特性を得ることができる上記ランプでは、本ランプにしかフレキシブル基板等を適用できず、汎用性の低いものとなっている。また、組立て時に、フレキシブル基板に実装されている複数のＬＥＤのうち１つでも不点となっている場合、フレキシブル基板やＬＥＤをごっそり交換しなければならないこともあり、リサイクル性の低いものであった。
【０００９】
本発明は、上記問題を解決しようとなされたものであって、所望の配光特性を得ることができ、しかも、汎用性及びリサイクル性の高いランプ、発光ブロック及び照明装置を提供することを目的とする。
【課題を解決するための手段】
【００１０】
本発明に係るランプは、発光素子を有する複数の発光ブロックが連結部により屈曲且つ脱着自在に連結されてなる発光部を有し、前記連結する発光ブロック間の屈曲角度が調整されていることを特徴としている。
【００１１】
ここでいう「連結部」は、発光ブロックに含まれる構成であっても良いし、発光ブロック以外の他部材に含まれる構成であっても良い。他部材の場合、発光ブロックは、当該他部材を介して屈曲・脱着自在に連結されることになる。
【００１２】
このように発光部は、複数の発光ブロックを含んでいれば良く、例えば、発光素子を有しないブロックを介して発光ブロックを屈曲自在に連結して構成されても良いし、複数の発光ブロックのみを屈曲自在に連結して構成されても良い。
【発明の効果】
【００１３】
上記構成によれば、連結する発光ブロック間の屈曲角度を調整できるため、所望の配光特性を得ることができる。また、発光ブロックは連結する他の発光ブロックと着脱自在であるため、交換可能であり、汎用性及びリサイクル性の高いものとなっている。
【００１４】
また、前記発光部は、ベース部材に装着されていると共にグローブにより覆われていることを特徴とし、あるいは前記発光部は、配光特性が白熱電球の配光特性に合致するように各発光ブロック間の屈曲角度が設定されている。これにより、ランプ形状及び配光特性の面で白熱電球に似たものが得られる。
【００１５】
また、前記複数の発光ブロックの連結形状が、アーチ状をしており、前記発光素子を点灯させる回路が、前記アーチ状の発光ブロックで囲まれた内部に配されていることを特徴し、あるいは、前記発光ブロックは、一次元方向にのみ連結可能な第１ブロックと、二次元方向に連結可能な第２ブロックとからなり、前記第２ブロックが中心部位に配され、前記第２ブロックにおける第１の方向の両端から前記第１ブロック複数個が直列に連結され、前記第１の方向と異なる第２の方向の両端から残りの前記第１ブロック複数緒が直列に連結されていることを特徴としている。
【００１６】
一方、本発明に係る発光ブロックは、少なくとも第１連結部又は第２の連結部を有する１種以上の他のブロックに対して連結されて使用され且つ発光素子を有する発光ブロックであって、前記他のブロックの第１連結部に屈曲且つ脱着自在に連結する第２連結部と、前記他のブロックの第２連結部に屈曲且つ脱着自在に連結する第２連結部と、連結により前記他のブロックと電気的に接続される導電路とを有し、前記発光素子が前記導電路に接続されていることを特徴としている。
【００１７】
この発光ブロックを利用して発光部を構成した場合、連結する発光ブロックと他のブロックとの屈曲角度を調整できるため、所望の配光特性を得ることができる。また、発光ブロックは連結する他のブロックと着脱自在であるため、交換可能であり、汎用性及びリサイクル性の高いものとなっている。
【００１８】
一方、本発明に係る照明装置は、ランプと、当該ランプを着脱自在に装着する照明器具とを備え、前記ランプが上記に記載のランプであることを特徴としている。
上記ランプを利用して照明装置を構成した場合、所望の配光特性を得ることができ、また、ランプの発光部を構成する発光ブロックは連結する他のブロックと着脱自在であるため、交換可能であり、結果的に汎用性及びリサイクル性の高いものとなっている。
【図面の簡単な説明】
【００１９】
【図１】図１は、本発明の第１の実施の形態に係るＬＥＤ電球の概略図であり、内部の様子が分かるように一部を切り欠いている。
【図２】基台をケースに組み込む前の状態の斜視図である。
【図３】ＬＥＤブロックの斜視図であり、内部の様子が分かるように、一部を切り欠いている。
【図４】ＬＥＤブロックの平面視である。
【図５】図４のＸ−Ｘ線での矢印方向からの見た図である。
【図６】端子の配線を説明するための図であり、端子に沿って端子上部のブロック本体を取り除いた図である。
【図７】装着ブロックの斜視図であり、内部の様子が分かるように一部切り欠いている。
【図８】装着ブロック周辺の拡大図である。
【図９】交差ブロックの平面図である。
【図１０】交差ブロック周辺の平面図である。
【図１１】交差ブロック周辺の正面図である。
【図１２】筒部材の内部を示す図である。
【図１３】第２の実施の形態のＬＥＤの接続を説明する概略図である。
【図１４】ＬＥＤブロックの斜視図である。
【図１５】ＬＥＤブロック、交差ブロック及び装着ブロックを説明するための図である。
【図１６】第３の実施の形態に係る発光部を示す概略図である。
【図１７】第３の実施の形態に係る発光部の変形例１を示す概略図である。
【図１８】発光部を支持する変形例２を示す概略図である。
【図１９】第４の実施の形態に係る発光部を示す概略斜視図である。
【図２０】第４の実施の形態に係る発光部の変形例３を示す概略図である。
【図２１】第５の実施の形態に係る照明装置の一例を説明する概略図である。
【発明を実施するための形態】
【００２０】
以下、本発明の一例である実施の形態に係るＬＥＤ電球について、それぞれ図面を参照しながら説明する。なお、図面は、本発明を説明するものであり、各部品の大きさ等の寸法比は正確なものではない。
＜第１の実施の形態＞
１．全体構成
図１は、本発明の第１の実施の形態に係るＬＥＤ電球の概略図であり、内部の様子が分かるように一部を切り欠いている。図２は、ベース部材をケースに組み込む前の状態の斜視模式図である。
【００２１】
ＬＥＤ電球１は、図１に示すように、ＬＥＤを光源として備えるドーム状の発光部３と、発光部３が装着されたベース部材５と、ドーム状の発光部３の内側に配され且つベース部材５に固定された筒部材７と、筒部材７内に収納され且つ発光部３を発光させるための回路と、ベース部材５を一端に装着する筒状のケース９と、ケース９他端に装着された口金１１と、発光部３を覆い且つケース９の一端に装着されたグローブ１３とを備える。なお、ＬＥＤ以外に例えばＬＤを光源としても利用できる。
【００２２】
ＬＥＤ電球１は、口金１１が照明器具のソケットに装着され、口金１１を介して照明器具から給電され、回路が発光部３を発光させる。この際、発光部３は、後述するが、ドーム状をしているため、ランプ軸と直交する方向にも光を射出できる。
２．各部構成
（１）ベース部材５
ベース部材５は、ここでは、ケース９が円筒状をしているため円盤状をし、ケース９の一端に内嵌されてケース９の一端を塞ぐ。
【００２３】
ベース部材５は、表側に発光部３及び筒部材７を装着し、ベース部材５の外周が段差状をした段差部２１となっている。ベース部材５がケース９の一端に内嵌されると、ケース９の内面と段差部２１とにより溝部が形成され、この溝部にグローブ１３の開口側の端部１３ａが挿入されて、固着剤２３によりグローブ１３とケース９とベース部材５とが一体に固着されている。
（２）発光部３
発光部３は、ＬＥＤ（３７）を備えるＬＥＤブロック（本発明の「発光ブロック」、「第１ブロック」に相当する。）２７を複数有し、これらをアーチ状に連結させて全体として所望の形状、例えば、ドーム状にしている。
【００２４】
具体的には、複数のＬＥＤブロック２７を連結させてドーム状をする発光部本体２９と、この発光部本体２９をベース部材５に装着するための装着ブロック３１とを備える。
なお、ＬＥＤブロック２７の交差する部分は交差ブロック（本発明の「発光ブロック」、「第２ブロック」に相当する。）４７により連結されている。
（ア）ＬＥＤブロック（第１ブロック）
図３は、ＬＥＤブロック２７の斜視図であり、内部の様子が分かるように、一部を切り欠いている。図４は、ＬＥＤブロックの平面図であり、図５は、図４のＸ−Ｘ線での断面を矢印方向からの見た図である。
【００２５】
ＬＥＤブロック２７は、ブロック本体３３と、ブロック本体３３に実装されたＬＥＤモジュール３５と、ＬＥＤモジュール３５のＬＥＤ３７を封止する封止体３９とを備える。
ブロック本体３３は、中央に凹入部４１を有し、他端が第１の連結部４３と、一端が第２の連結部４５とそれぞれなっている。
【００２６】
ここでの第１の連結部４３は、ベース部材５側に位置し、装着ブロック３１や他のＬＥＤブロック２７の第２の連結部４５に連結される。第２の連結部４５は、他のＬＥＤブロック２７の第１の連結部４３や交差ブロック４７に連結される。
【００２７】
中央の凹入部４１は平面視矩形状をし、その底にＬＥＤモジュール３５が挿入された状態で装着される。
第１の連結部４３は、図３〜図５に示すように、棒状体５１がブロック本体３３の長手方向（ランプ軸と平行である。）と直交する状態で、ブロック本体３３に支持されている。つまり、平面視したとき（図４である。）にブロック本体３３の他端部が短手方向の両端（４３ａ，４３ｂ）を除いて中央だけが切り欠かれており（切り欠き部４２である。）、切り欠き部４２の両側に位置する一対の側部４３ａ，４３ｂに金属製の棒状体５１が支持されている。
【００２８】
なお、棒状体５１の支持は、図４に示すように、棒状体５１の端部５１ａ，５１ｂがブロック本体３３に埋設されることで行われている（例えば、インサート成形で実施できる。）。
【００２９】
第２の連結部４５は、他のＬＥＤブロック２７の第１の連結部４３である棒状体５１の外周に沿って延伸する延伸部５３を有し、この延伸部５３が棒状体５１に屈曲自在に係止することでＬＥＤブロック２７等の連結が行われる。
【００３０】
つまり、第１の連結部４３と第２の連結部４５との連結に係合構造を利用し、第１の連結部４３は被係合部であり、第２の連結部４５は係合部である。
第１の連結部４３及び第２の連結部４５は、他のＬＥＤブロック２７、装着ブロック３１又は交差ブロック４７に連結された際に、電気的に接続する構成となっており、これら連結部４３，４５に電気的に接続する端子（５５，５７）が凹入部４１の底面に露出するように設けられている。
【００３１】
図６は、端子の配線を説明するための図であり、端子に沿ってブロック本体３３の上部を取り除いた図である。なお、図６では、端子は断面ではないが、ブロック本体３３と区別し易いように、ハッチングを施している。
【００３２】
端子は、第１の連結部４３側が第１の端子５５であり、第２の連結部４５側が第２の端子５７である。
第１の端子５５は、金属製の棒状体５１の少なくとも一方の端部、ここでは、両端部５１ａ，５１ｂに接触する端部接触部５５ａ，５５ｂと、両端部接触部５５ａ，５５ｂを連結する連結部５５ｃと、連結部５５ｃの中央から第２の連結部４５側へと延出する延出部５５ｄとを有する。このため、第１の端子５５は、平面視において、「Ｙ」字状をしている。なお、延出部５５ｄの一部が凹入部４１内に露出している。
【００３３】
端部接触部５５ａ，５５ｂは、図５に示すように、棒状体５１の端部５１ａ，５１ｂの外周に接触するように、円弧状をしている。延出部５５ｄは、上述のように、図３及び図５に示すように、凹入部４１の底面にまで延出している。
【００３４】
第２の端子５７は、他のＬＥＤブロック２７の棒状体５１の外周に沿って円弧状に湾曲する湾曲部５７ａと、湾曲部５７ａの中央から第１の連結部４３側へと延出する延出部５５ｄとを有する。このため、第２の端子５７は、平面視において、「Ｔ」字状をしている。
【００３５】
延出部５７ｂは、図５に示すように、凹入部４１の底面にまで延出し、当該延出部５７ｂの一部が凹入部４１内に露出している。
ＬＥＤモジュール３５は、図５に示すように、基板６１と、当該基板６１の表面に実装された１又は複数（ここでは２個である。）のＬＥＤ３７とを備え、基板６１の裏面に第１の端子５５と第２の端子５７に接続される受電部６３，６５が形成されている。
【００３６】
封止体３９は、ブロック本体３３の凹入部４１を埋めるようにして設けられている。封止体３９は、主に透光性の材料により構成され、ＬＥＤ３７から発せられた光の波長を変換する必要がある場合は、波長変換部材が透光性の材料に混入される。
（イ）装着ブロック３１
図７は、装着ブロックの斜視図であり、内部の様子が分かるように一部切り欠いている。
【００３７】
装着ブロック３１は、ＬＥＤブロック２７と同じような構成しており、ブロック本体７１を有し、ブロック本体７１の一端側が、ＬＥＤブロック２７の第１の連結部４３と連結する連結部７３となっている。
【００３８】
連結部７３は、ＬＥＤブロック２７の第２の連結部４５と同じように、ＬＥＤブロック２７の第１の連結部４３である棒状体５１の外周に沿って延伸する延伸部７５を有し、この延伸部７５がＬＥＤブロック２７の棒状体５１に屈曲自在に係止することで、ＬＥＤブロック２７と連結される。
【００３９】
連結部７３は、ＬＥＤブロック２７の第１の連結部４３に連結された際に電気的に接続するための端子７７が設けられている。端子７７は、ＬＥＤブロック２７の第２の連結部４５の第２の端子５７と同様に、ＬＥＤブロック２７の棒状体５１の外周に沿って円弧状に湾曲する湾曲部７７ａと、湾曲部７７ａの他端側の端部中央からブロック本体７１の他端側へと延出して端面から延出する延出部７７ｂとを有する。
【００４０】
図８は、図１における装着ブロック周辺の拡大図である。
装着ブロック３１は、ブロック本体７１の他端部７１ａが、ベース部材５の装着穴７９に挿入されている。
【００４１】
ベース部材５の装着孔７９は、表側の孔が大きく、裏側の孔が小さい、段差状に貫通しており、ブロック本体７１の他端部７１ａが段差部で位置決め規制されている。また、装着ブロック３１の端子７７の延出部７７ｂが装着孔７９からベース部材５の裏側へと延出する。
【００４２】
ＬＥＤブロック２７と装着ブロック３１の連結は、ベース部材５に支持されている装着ブロック３１の連結部４３に、ＬＥＤブロック２７の第１の連結部４３が連結されることで行われる。つまり、ＬＥＤブロック２７の第１の連結部４３の棒状体５１が、装着ブロック３１の連結部７３の延伸部７５により係合されることで行われる。なお、これにより電気的接続も行われる。
（ウ）交差ブロック４７
図９は、交差ブロックの平面図である。
【００４３】
第１の実施の形態に係る交差ブロック４７は、クロス状にＬＥＤブロック２７を連結するものである。
交差ブロック４７は、ＬＥＤブロック２７と同じような構成しており、平面視形状が矩形状のブロック本体８１を有する。
【００４４】
ブロック本体８１は、ＬＥＤブロック２７のブロック本体８１と同様に、凹入部８３を有し、この凹入部８３にＬＥＤモジュール（３５）が挿入された状態で、封止体８５が充填されている。なお、凹入部８３の底には、ＬＥＤモジュール（３５）と電気的に接続する端子が設けられている。この端子は、ＬＥＤブロック２７の第１の端子５５と同じ構成である。
【００４５】
ここでは、図９において破線で示すＬＥＤ３７が並ぶ方向（図において左右方向となる。）に連結されるＬＥＤブロック（２７）と直列に接続される（図１１参照。）。
矩形状のブロック本体８１の各辺に相当し且つ各辺の中心を通る部位には４つの連結部８７，８９，９１，９３が設けられている。つまり、連結部８７，８９，９１，９３の中心は、ブロック本体８１の各辺の中央を通り、隣接する他の連結部８７，８９，９１，９３と直交する状態で設けられている。
【００４６】
各連結部８７，８９，９１，９３は、ＬＥＤブロック２７の第１の連結部４３と同じような構成を有し、棒状体９５，９７，９９，１０１を有する。ここでは、連結部８７と連結部９１とが電気的に接続され、連結部８９と連結部１０１とがＬＥＤモジュール３５を介して電気的に接続されている。
【００４７】
図１０は、図１における交差ブロック周辺の平面図であり、図１１は、交差ブロック周辺の正面図である。なお、ＬＥＤブロック、連結部等は同じ構成であるが、連結関係が分かるように、「ａ」、「ｂ」、「ｃ」、「ｄ」を符号に付している。
【００４８】
交差ブロック４７は、図１０及び図１１に示すように、各ＬＥＤブロック２７ａ，２７ｂ，２７ｃ，２７ｄの第２の連結部４５ａ，４５ｂ，４５ｃ，４５ｄが交差ブロック４７の各連結部８７，８９，９１，９３に連結する。
【００４９】
つまり、交差ブロック４７に各ＬＥＤブロック２７ａ，２７ｂ，２７ｃ，２７ｄの第２の連結部４５ａ，４５ｂ，４５ｃ，４５ｄの延伸部５３ａ，５３ｂ，５３ｃ，５３ｄが、交差ブロック４７の各連結部８７，８９，９１，９３の棒状体９５，９７，９９，１０１に係止することで、各ＬＥＤブロック２７ａ，２７ｂ，２７ｃ，２７ｄと交差ブロック４７とが屈曲自在に連結される。
【００５０】
交差ブロック４７は、各ＬＥＤブロック２７ａ，２７ｂ，２７ｃ，２７ｄと連結された際に、交差ブロック４７を挟んで互いに対向し合うＬＥＤブロック２７同士（ＬＥＤブロック２７ａとＬＥＤブロック２７ｃ、ＬＥＤブロック２７ｂとＬＥＤブロック２７ｄである。）を電気的に接続するための導電路が形成されている。
【００５１】
まず、ＬＥＤブロック２７ｂとＬＥＤブロック２７ｄとを結ぶ導電路は、図１１に示すように、ＬＥＤブロック２７の第１の端子５５と同じ構成を有し、ブロック本体８１の凹入部８３にＬＥＤモジュール３５が挿入（装着）されることで、当該ＬＥＤモジュール３５の１つのＬＥＤ３７を介してＬＥＤブロック２７ｂ，２７ｄとが電気的に接続されることになる。
【００５２】
つまり、ブロック本体８１には、図１１に示すように、連結部８９，９３の棒状体９７，１０１に接触する端子１０３，１０５が凹入部８３の内部にまで延出し、この端子１０３，１０５にＬＥＤモジュール３５の受電部６３，６５（この受電部６３，６５は１つのＬＥＤ３７と接続されている。）が接触することで、ＬＥＤブロック２７ｂ，２７ｄが直列に接続されることになる。
【００５３】
一方、ＬＥＤブロック２７ａとＬＥＤブロック２７ｃとを結ぶ導電路１０７は、ＬＥＤブロック２７ａ，２７ｃの第２の連結部４５ａ,４５ｃが係合する交差ブロック４７の棒状体９５,９９との両方に接触する金属板等により構成され、図１１に示すように、ブロック本体８１の凹入部８３の下方に配されている。
【００５４】
これにより、ＬＥＤブロック２７ａ，２７ｃが直列に接続されることになる。なお、導電路１０７は、凹入部８３にＬＥＤモジュール３５が挿入（装着）されることで、当該ＬＥＤモジュール３５の他の１つのＬＥＤ３７を介して、棒状体９５，９９と接続されている。
（３）筒部材７及び回路１２１
図１２は、筒部材の内部を示す図である。
【００５５】
筒部材７は、一端が塞がった筒状をし、その他端７ａがベース部材５の装着溝５ｂに挿入され固着されている。筒部材７は、半球状のドーム状部１０９と、ドーム状部１０９により一端が塞がれた横断面形状が円形の筒状部１１１とを有している。
【００５６】
筒状部１１１の内部には、回路１２１が格納されている。
回路１２１は、筒状部１１１の内部に固定された配線基板１２３と、配線基板１２３の主面に実装された複数の各種の電子部品等からなる。
【００５７】
回路１２１は、例えば、整流回路、平滑回路、インバータ回路等を備える。本実施の形態では、交差ブロック４７においてブロック本体８１の中心を通る直線上に位置する複数のＬＥＤブロック２７のＬＥＤ３７が直列に接続してなる直列接続群を２つ構成し、これら直列接続群を、ＬＥＤ３７の順方向が互いに逆になるように並列接続されている。
【００５８】
このようなＬＥＤ３７の接続により、インバータ回路により、発光部３に高周波電力が供給されても、２つの直列接続群のうちの一方が発光することとなる。
なお、回路１２１を構成する電子部品とは、例えば、ダイオード１２５、コンデンサー１２７、一対のスイッチング素子、スイッチング素子のＯｎ／Ｏｆｆを制御する制御部（ＩＣ）１２９等がある。
【００５９】
回路１２１は、図１に示す配線１３１，１３３を介して口金１１に接続され、配線１３５，１３７等を介して、各直列接続群の装着ブロック３１の延出部７７ｂと接続されている。
（４）ケース９
ケース９は、図１に示すように、筒状をし、その一端にベース部材５が、他端に口金１１がそれぞれ装着されている。ケース９は、ＬＥＤ３７の発光時の回路１２１からの熱が筒部材７からベース部材５に伝わり、ベース部材５からの熱を放射する機能（所謂、ヒートシンクである。）を持たせる場合は、熱放射性の高い材料により構成される。この場合、口金１１の絶縁性を確保するために絶縁処理を行なう必要がある。
【００６０】
なお、ヒートシンクとしての機能が必要ない場合は、樹脂材料等を利用することができる。
（５）グローブ１３
グローブ１３は、図１に示すように、ベース部材５とケース９とを組み合わせたときにできる溝部に嵌め込まれ固着されている。
（６）口金１１
口金１１は、照明器具のソケットに取着され、このソケットを介して給電を受けるためのものである。具体的には、エジソン式のＥ２７やＥ１７である。
３．使用方法
発光部３は、複数のＬＥＤブロック２７を連結させて発光部本体２９が構成される。この際、複数のＬＥＤブロック２７は、他のＬＥＤブロック２７等に対して屈曲自在に連結されるため、所望の配光特性を有する形状の発光部３を得ることができる。これにより、結果的に、対象とするランプの配光特性に近い配光特性を得ることができる。
【００６１】
また、発光部３として、各ブロック２７，３１，４７等を連結して組立てた後に、いずれかのブロック２７，３１，４７に断線等が生じた場合でも、該当するブロック２７，３１，４７を交換するだけで良く、他のブロックは利用できるため、リサイクル性の高いＬＥＤ電球１を得ることができる。
＜第２の実施の形態＞
第１の実施の形態では、複数のＬＥＤ３７が直列に２系列で接続され、この２つの直列接続群が並列に接続されている。
【００６２】
しかしながら、本発明における発光素子（例えばＬＥＤである。）の接続方法は第１の実施の形態で説明した方法に限定するものではない。
第２の実施の形態では、複数の発光素子が第１の実施の形態における接続方法と異なる方法で接続されている形態について説明する。
【００６３】
なお、第１の実施の形態と同じ構成については、同じ符号を用いるものとする。
図１３は、第２の実施の形態のＬＥＤの接続を説明する概略図である。
第２の実施の形態に係るＬＥＤ３７は、同図に示すように、すべて直列に接続されている。なお、ここでは、第２の実施の形態に係るＬＥＤブロック２０３、交差ブロック２０５、装着ブロック２０７のそれぞれを破線で示す。
【００６４】
ＬＥＤブロック２０３は、第１の実施の形態と同様に、２個のＬＥＤ３７を備える。このＬＥＤ３７は、第１の実施の形態と同じＬＥＤモジュール３５に含まれている。
図１４は、ＬＥＤブロックの斜視図である。なお、図１４には、ＬＥＤ３７と、ＬＥＤ３７への給電路とを模式的に破線で示している。
【００６５】
ＬＥＤブロック２０３は、第１の実施の形態におけるＬＥＤブロック２７と同様に、ブロック本体２０９と、ブロック本体２０９の両端部に第１の連結部２１１及び第２の連結部２１３とを備える。
【００６６】
ブロック本体２０９は、その表側の中央に凹入部２１５を有し、凹入部２１５の内部にＬＥＤモジュール３５を格納する状態で封止体２１７が設けられている。
第１の連結部２１１は棒状体２１９を有し、第２の連結部２１３は、他のＬＥＤブロック２０３及び交差ブロック２０５の棒状体（２１９）に係合する２つの延伸部２２１，２２３を有する。
【００６７】
棒状体２１９は、中央部の絶縁棒２２５と、絶縁棒２２５を軸方向の両側から挟む２つの導電棒２２７，２２９とからなる。延伸部２２１，２２３は、第１の連結部２１１の導電棒２２７，２２９の外周に接触して屈曲自在に係止するように、導電棒２２７，２２９の外周に沿って円弧状に湾曲する。延伸部２２１，２２３の内周面には、延伸部２２１，２２３と同じく、導電棒２２７，２２９の外周に沿うように湾曲する導電薄板２３１，２３３を有している。
【００６８】
第１の連結部２１１の導電棒２２７と第２の連結部２１３の導電薄板２３１とは、ブロック本体２０９内に配された導電路２３５により電気的に接続されている。
第１の連結部２１１の導電棒２２９と第２の連結部２１３の導電薄板２３３とは、ブロック本体２０９内に配された導電路２３７とＬＥＤ３７とにより電気的に接続されている。
【００６９】
図１５は、ＬＥＤブロック２０３、交差ブロック２０５、装着ブロック２０７の連結状態での電気的接続を説明するための図である。
交差ブロック２０５は、図１５に示すように、第１の実施の形態の交差ブロック４７（図８参照）と同様に、４つの連結部２４１ａ，２４１ｂ，２４１ｃ，２４１ｄを有する。
【００７０】
各連結部２４１ａ，２４１ｂ，２４１ｃ，２４１ｄはすべて同じ構造である。ここでは、連結部２４１ａについてその構成を説明する。
連結部２４１ａは、ＬＥＤブロック２０３ａの第１の連結部２１１ａの棒状体２１９と同様に、２つの導電棒２４９ａ，２５１ａと絶縁棒２５３ａとからなる棒状体２５５ａを備える。
【００７１】
ここで、連結部２４１ａ以外の連結部２４１ｂ，２４１ｃ，２４１ｄは、連結部２４１ａの構成である導電棒、絶縁棒、棒状体を備え、これらの符号は、連結部２４１ａの各構成を示す符号の「ａ」を、他の各連結部のアルファベットに置き換えて表す。例えば、連結部２４１ｃの棒状体は符号「２５５ｃ」とする。
【００７２】
また、図１４におけるＬＥＤブロック２０３の導電路２３７は、図面の便宜上、１本の導電路２３７として表しているが、正確には、図１５に示すように、ＬＥＤブロック２０３の第２の連結部（２１３）の導電薄板２３３ａに接続する第１の端子２４３ａと、第１の連結部（２１１）の導電棒２２９ａに接続する第２の端子２４５ａと、ＬＥＤモジュール３５に形成されている導電路とから構成される。なお、図１５のＬＥＤブロック２０３ａは、図面の関係で、半分しか表れていないが、その下方のＬＥＤブロックとで、１つのＬＥＤブロックとしての全体が表されている。
【００７３】
各ＬＥＤブロック２０３ａ，２０３ｂ，２０３ｃ，２０３ｄが、交差ブロック２０５の各連結部２４１ａ，２４１ｂ，２４１ｃ，２４１ｄに連結する。ここでは、各連結は、説明の便宜上、符号のアルファベットが同じもの同士で行われるものとし、ＬＥＤブロックの符号に連結部のアルファベットと同じアルファベットを付加して表し、アルファベットを用いて個々の構成を説明する必要がない場合は、アルファベットを外した符号で表す。
【００７４】
交差ブロック２０５は、図１２、図１５に示すように、回路から給電を受けるための第１の受電端子２５７と第２の受電端子２５９と、第１の受電端子２５７とＬＥＤブロック２０３ａ導電棒２５１ａとを接続する導電路２６１と、導電棒２４９ａと導電棒２５１ｂとを接続する導電路２６３と、導電棒２４９ｂと導電棒２５１ｃとを接続する導電路２６５と、導電棒２４９ｃと導電棒２５１ｄとを接続する導電路２６７と、導電棒２４９ｄと第２の受電端子２５９とを接続する導電路２６９と備える。
【００７５】
なお、第１の受電端子２５７及び第２の受電端子２５９は、配線２７１，２７３を介して接続されている。
装着ブロック２０７ａは、第１の実施の形態の装着ブロック３１と同様に、ブロック本体２８１ａと、ブロック本体２８１ａの一端の連結部２８３ａとを備える。
【００７６】
装着ブロック２０７ａの連結部２８３ａは、ＬＥＤブロック２０３ａの一端にある第２の連結部２１３と同様に、２つの湾曲部を備え、湾曲部の内面に、装着ブロック２０７ａに連結されるＬＥＤブロック２０３ａの導電棒２２７ａ，２２９ａに接触すると共に導電棒２２７ａ，２２９ａを直列に接続する導電薄板２８５ａを備える。
【００７７】
上述のＬＥＤブロック２０３、交差ブロック２０５、装着ブロック２０７を利用して、発光部を構成することで、図１３に示すように、すべてのＬＥＤ３７を直列に接続することができる。
【００７８】
第２の実施の形態においても、複数のＬＥＤブロック２０３や交差ブロック２０５を用いて、これらを連結することで、所望の全体形状をした発光部を得ることができ、結果的に、対象とするランプの配光特性に近い配光特性を得ることができる。
【００７９】
また、発光部として、各ＬＥＤブロック２０３等を連結して組立てた後に、いずれかのＬＥＤブロック２０３のＬＥＤ３７が不通になった場合でも、該当するＬＥＤブロック２０３を交換するだけで良く、リサイクル性の高いＬＥＤ電球を得ることができる。
＜第３の実施の形態＞
第１及び第２の実施の形態では、ＬＥＤブロック２７，２０３は、グローブ１３と離れて設けられていたが、例えば、ＬＥＤブロック２７をグローブの内面に接触するように設けても良い。この形態を第３の実施の形態として説明する。
【００８０】
図１６は、第３の実施の形態に係る発光部を示す概略図である。
第３の実施の形態に係る発光部３０１は、複数のＬＥＤブロック３０３及び装着ブロック３０５と、交差ブロック３０７とを備える。
【００８１】
装着ブロック３０５は、発光部３０１の基部であるベース部材３０９に固定され、交差ブロック３０７は、発光部３０１の頂部に相当する部位に設けられ、交差ブロック３０７と装着ブロック３０５との間に複数のＬＥＤブロック３０３が、連結部材（ＬＥＤブロック３０３、装着ブロック３０５、交差ブロック３０７である。）に対して屈曲した状態で連結されている。
【００８２】
ベース部材３０９の外周には半球状のグローブ３１１が固着され、このグローブ３１１の内面に接するように、ＬＥＤブロック３０３、装着ブロック３０５及び交差ブロック３０７が相互に連結されている。
【００８３】
各ブロック３０３，３０５，３０７をグローブ３１１の内面に沿うように連結するために、本実施の形態に係る各ＬＥＤブロック３０３は、例えば、第１の連結部として横断面形状が多角形状、例えば、八角形をした筒状体を備え、第２の連結部として、第１の連結部の筒状体の外周面に沿って内面が八角形状に延伸する延伸部を有する。
【００８４】
これにより、隣接して連結されるＬＥＤブロック３０３間の角度を４５［度］単位で調整することができると共に両者の角度を連結後も一定に維持することできる。
また、装着ブロック３０５とＬＥＤブロック３０３との連結、交差ブロック３０７とＬＥＤブロック３０３との連結も、上述したＬＥＤブロック３０３同士の連結と同じ構成により、装着ブロック３０５及び交差ブロック３０７に対して、ＬＥＤブロック３０３を任意の角度で連結させることができる。
【００８５】
なお、ＬＥＤブロック３０３をグローブ３１１に接触させることで、発光時のＬＥＤ３７の熱を効率よくグローブ３１１に伝えることができる。
上記説明では、各ブロック３０３，３０５，３０７間の連結角度（屈曲角度）を調整できるように、例えば、棒状体の横断面形状を八角形にしたが、例えば、他の構成により、ＬＥＤブロックをグローブの内面に接触させることができ、この例を変形例１，２として以下説明する。
【００８６】
図１７は、第３の実施の形態に係る発光部の変形例１を示す概略図である。
変形例１に係るＬＥＤブロック、装着ブロック及び交差ブロックは、第１の実施の形態におけるＬＥＤブロック２７、装着ブロック３１及び交差ブロック４７と同じ構成である。
【００８７】
変形例１に係る発光部３２１は、複数のＬＥＤブロック２７及び装着ブロック３１と、交差ブロック４７とを備える。
装着ブロック３１は、発光部３２１の基部側にあるベース部材３０９に固定され、交差ブロック４７は、発光部３２１の頂部に相当する部位に設けられ、交差ブロック４７と装着ブロック３１との間に複数のＬＥＤブロック２７が、連結部材（ＬＥＤブロック２７、装着ブロック３１、交差ブロック４７である。）に対して屈曲した状態で連結されている。
【００８８】
ベース部材３０９の外周には半球状のグローブ３１１が固着され、このグローブ３１１の内面に接するように、ＬＥＤブロック２７、装着ブロック３１及び交差ブロック４７が相互に連結され、これらの内側に配された半球体３２３により支持されている。
【００８９】
このような構成でも、各ブロック２７，３１，４７をグローブ３１１の内周面に接触する状態で発光部３２１を構成することができる。なお、ＬＥＤ３７から発せられた光を有効に取り出すために、半球体３２３の表面に白色塗料を塗布したり、反射膜を形成したりしても良い。
【００９０】
上記変形例１では、半球体３２３を用いて発光部３２１を裏側から支持していたが、他の方法で発光部を支持しても良い。
図１８は、発光部を支持する変形例２を示す概略図である。
【００９１】
変形例２に係るＬＥＤブロック及び装着ブロックは、第１の実施の形態におけるＬＥＤブロック２７及び装着ブロック３１と同じ構成であり、交差ブロック３３３が異なる構成を有している。
【００９２】
変形例２に係る発光部３３１は、複数のＬＥＤブロック２７及び装着ブロック３１と、交差ブロック３３３とを備える。
交差ブロック３３３は、第１の実施の形態の交差ブロック４７と同様に、４つのＬＥＤブロック２７の第２の連結部４５と連結する連結部を有する。
【００９３】
交差ブロック３３３は、図１８に示すように、ベース部材３３５に固定された支持柱３３７により支持されている。
発光部３３１は、平面視において、「＋」字状をしており、装着ブロック３１から複数のＬＥＤブロック２７、そして交差ブロック３３３の連結部までが直列接続された直列接続群を構成し、交差ブロック３３３の連結部に接続された配線３３９，３４１が支持柱３３７の内部をとって、図外の回路へと接続されている。
【００９４】
このように、交差ブロック３３３を支持することで、各ブロック２７，３１，３３３をグローブ３１１の内周面に接触する状態で発光部３３１を構成することができる。
＜第４の実施の形態＞
上記各実施の形態や変形例における発光部は、複数のＬＥＤブロックをライン状（一本の直線状）に連結したものを、交差ブロックに連結させた形状をしている。換言すると、発光部は、アーチ状に連結したものを２本用いて、これら２本を、平面視においてクロス（「＋」字）状に重ね、互いに重なる部分を交差ブロックで連結している。
【００９５】
つまり、ＬＥＤブロックは、他のＬＥＤブロックと一方向（直線状）にのみ連結できたが、例えば、交差ブロックのように、他のブロックと縦・横方向の二方向に結合できるような構成としても良い。
【００９６】
以下、二方向に他のＬＥＤブロックと連結して発光部を構成した形態について説明する。
図１９は、第４の実施の形態に係る発光部を示す概略斜視図である。
【００９７】
発光部４０１は、同図に示すように、複数のＬＥＤブロック４０３と、ＬＥＤブロック４０３を図外のベース部材に装着するための複数の装着ブロック４０５と、ＬＥＤブロック４０３を交差状に連結するための交差ブロック４０７とから構成されている。
【００９８】
発光部４０１は、ここでは、ＬＥＤブロック４０３により二本のアーチを構成し、その途中の３箇所でさらに連結ブロック４１３により周方向に連結されている。
ＬＥＤブロック４０３は、ここでは、一方向（直線状）である第１の方向に連結可能な一方向用ブロック４０９と、互いに直交する第１及び第２の方向の二方向に連結可能な二方向用ブロック４１１との２種類がある。
【００９９】
一方向用ブロック４０９は第１の実施の形態に係るＬＥＤブロック２７と同じ構成で実施できる。
二方向用ブロック４１１は、第１の実施の形態に係るＬＥＤブロック２７に、さらに、第１の連結部４３と第２の連結部４５とを結ぶ方向、つまり第１の方向と直交する方向（第２の方向）に連結部を有する。この連結部は、ＬＥＤブロック２７の第１の端子５５、第２の端子５７を備えない第１の連結部４３と第２の連結部４５と同じ構成である。
【０１００】
連結ブロック４１３は、二方向ブロック４１１の第２の方向に連結する連結部と同じ構成の連結部を備える。つまり、ＬＥＤブロック２７の第１の端子５５、第２の端子５７を備えない第１の連結部４３と第２の連結部４５と同じ構成の連結部を有する。
【０１０１】
そして、二方向ブロックの連結部に連結ブロックの連結部が連結することで、周方向にも連結される。
なお、ここでのＬＥＤブロック４０３はＬＥＤを備え、発光可能なブロックであるが、例えば、図１８のハッチングを施したＬＥＤブロックのみが発光可能としても良い。この場合、所望の輝度を簡易な構成で簡単に得ることができる。
【０１０２】
また、言うまでもなく、交差用ブロック４１１や連結ブロック４１３にもＬＥＤや配線を設けることが可能であり、その場合は、配線等を適宜設計することで実施できる。
つまり、上記説明では、発光可能なブロックは、上下方向に連結される直線用ブロックだけであったが、周方向にのみ連結する連結ブロックにも適用できる。
【０１０３】
この例を変形例３として以下説明する。
図２０は、第４の実施の形態に係る発光部の変形例３を示す概略図である。
変形例３に係る発光部の全体形状は、図１９に示す、第４の実施の形態に係る発光部４０１の全体形状と同じであり、周方向に連結されたＬＥＤブロックの接続関係を示すために上半分を切り除いて表している。
【０１０４】
変形例３に係る発光部４３１は、ＬＥＤブロック４３３、装着ブロック４０５、交差ブロック４０７（図示省略）とを備え、ＬＥＤブロック４３３は、第１の方向であるランプ軸方向の一方向にのみ連結可能な第１の方向用ブロック４０９、第１の方向と異なる第２の方向である周方向にのみ連結可能な第２の方向用ブロック４３５、第１の方向及び第２の方向の二方向に連結可能な二方向用ブロック４３７とからなり、いずれのブロック４０９，４３５，４３７もＬＥＤを実装し、発光可能である。
【０１０５】
ここで、装着ブロック４０５、交差ブロック４０７及び第１の方向用ブロック４０９は、第４の実施の形態と同じ構成であり、これらの説明は省略する。
第２の方向用ブロック４３５は、ＬＥＤを実装し、隣接する他の第２の方向用ブロック４３５や二方向用ブロック４３７に連結されると、当該隣接する第２の方向用ブロック４３５や二方向用ブロック４３７と直列に接続される。
【０１０６】
第２の方向用ブロック４３５の電気的配線は、第１の実施の形態に係るＬＥＤブロック２７と同じであり、二方向用ブロック４３７の電気配線は、第１の実施の形態に交差ブロック４７と同じである。
【０１０７】
二方向用ブロックの１つ（図中の符号「４３７ａ」である。）は、点灯回路と配線４３９，４４１を介して接続されており、この１つの二方向用ブロック４３７ａが第２の方向に連結する他の第２の方向用ブロック４３５や二方向用ブロック４３７への電力供給の基点となり、また終点となる。
＜第５の実施の形態＞
上記各実施の形態や変形例において、本発明に係るランプの一例であるＬＥＤ電球について説明したが、第５の実施の形態では、上記ＬＥＤ電球を利用した照明装置について説明する。
【０１０８】
図２１は、第５の実施の形態に係る照明装置の一例を説明する概略図である。
照明装置５０１は、第１の実施の形態で説明したＬＥＤ電球１と照明器具５０３とを備え、ここでの照明器具５０３は、所謂、ダウンライト用照明器具である。
【０１０９】
照明器具５０３は、ＬＥＤ電球１と電気的に接続され且つＬＥＤ電球１を保持するソケット５０５と、ＬＥＤ電球１から発せられた光を所定方向に反射させる反射板５０５７と、図外の商用電源と接続される接続部５０９とを備える。
【０１１０】
ここでの反射板５０７は、天井５１１の開口５１３を介してソケット５０５側が天井５１１の裏側に位置するように天井５１１に取り付けられている。
なお、本発明に係る照明装置は、上記ダウンライト用に限定するものでないのは言うまでもない。
＜変形例＞
以上、本発明を上記実施の形態やその変形例（以下、単に、「実施の形態等」とする。）に基づいて説明したが、本発明の内容が、上記実施の形態等に示された具体例に限定されないことは勿論であり、例えば、上記の実施の形態等で示された具体例を組合せても良いし、さらに以下のような変形例を実施することができる。
１．発光部の形状
実施の形態等における発光部の全体の外観形状は、一端が半球状をした円筒状であったり、半球状であったりしたが、他の形状、例えば、たまご（楕円球）状でも良いし、横断面が三角形等の多角形の筒状であっても良く、対象とするランプの配光特性に合わせてＬＥＤブロックを適宜組合せて連結すれば良い。
２．ブロック
実施の形態等では、ＬＥＤブロックは２個のＬＥＤを備えていたが、ＬＥＤ個数はこれに限定するものではなく、例えば、１個でも良いし、３個以上であっても良い。さらに、ＬＥＤは、一直線上に配されても良いし、千鳥状や円状、多角形状に配されても良いし、二重（多重）円のように二重（多重）に配されても良い。
【０１１１】
また、ＬＥＤブロックは、一律に、２個のＬＥＤを備えていたが、ＬＥＤブロックを直列に電気接続する場合、搭載するＬＥＤの数が複数種類あっても良い。
さらに、実施の形態等での交差ブロックは、平面視において四角形状をし、各辺に連結部を備える構造をしていたが、例えば、平面視において六角形状をし、各辺に連結部を備えるような構造をしても良い。
【産業上の利用可能性】
【０１１２】
本発明は、所望の配光特性を得ることができ、しかも、汎用性及びリサイクル性の高いランプや照明装置に利用できる。
【符号の説明】
【０１１３】
１    ＬＥＤ電球（電球形ランプ）
３    発光部
９    グローブ
２７    ＬＥＤブロック
３１    装着ブロック
４３    第１の連結部
４５    第２の連結部
４７    交差ブロック
【図１】
2011249235.tif 000003
【図２】
2011249235.tif 000004
【図３】
2011249235.tif 000005
【図４】
2011249235.tif 000006
【図５】
2011249235.tif 000007
【図６】
2011249235.tif 000008
【図７】
2011249235.tif 000009
【図８】
2011249235.tif 000010
【図９】
2011249235.tif 000011
【図１０】
2011249235.tif 000012
【図１１】
2011249235.tif 000013
【図１２】
2011249235.tif 000014
【図１３】
2011249235.tif 000015
【図１４】
2011249235.tif 000016
【図１５】
2011249235.tif 000017
【図１６】
2011249235.tif 000018
【図１７】
2011249235.tif 000019
【図１８】
2011249235.tif 000020
【図１９】
2011249235.tif 000021
【図２０】
2011249235.tif 000022
【図２１】
2011249235.tif 000023